(57)【特許請求の範囲】
【請求項１】
下絵を描いたベース紙に、トレーシングペーパを重ねて、下絵をトレーシングペーパにトレースした後で、
前記ベース紙に、金属箔を重ね貼りし、
該重ね貼りした金属箔の上に、当て紙を載せ、熱圧着することで、ベース紙と金属箔とを一体化し、
熱圧着した金属箔の上に、下絵をトレースしたトレーシングペーパを配置した後に、該トレーシングペーパの上から、「彫り込み」により、下絵による微細な凹状部を、ベース紙と一体となった金属箔に形成し、
該凹状部に基づいて、鉛筆によって対象物を表現することを特徴とする、金属箔を用いた絵画の製造方法。
【請求項２】
前記鉛筆による対象物の表現は、
下絵による微細な凹状部を形成した金属箔に、シーラーを塗布した後に、鉛筆で描くことを、複数回繰り返すことを特徴とする、請求項１に記載の金属箔を用いた絵画の製造方法。
【請求項３】
ベース紙に金属箔を重ね貼りして一体化し、
該重ね貼りした金属箔に対して、「彫り込み」により形成されている微細な凹状部に基づいて、鉛筆によって対象物が表現されていることを特徴とする、金属箔を用いた絵画。
【発明の詳細な説明】
【技術分野】
【０００１】
本発明は、金属箔を用いた絵画の製造方法及び金属箔を用いた絵画に関する。
【背景技術】
【０００２】
絵画は、色の組合せの鮮やかさ等により、大きく印象が変わるものであり、例えば、特許文献１に記載の技法により、表現されたものが存在する。
該特許文献１には、第１層と、前記第１層が接合する第２層とを含み、前記第１層は色素が付く繊維質材料で形成され、前記第１層の接合側の表面に前記色素が付き、前記第１層はそれの内側まで光反射性を有し、前記光反射性は、水性絵の具が浸透し前記水性絵の具の染料又は顔料が付着しやすい繊維質でできていることにより得られ、前記第１層と前記第２層とから形成される貼合紙を用いて絵画を製造する絵画の製造方法であり、前記第２層に絵柄を線描すること、前記線描により形成される前記第２層の分割領域に切れ目を入れてその分割領域を取り除くこと、前記分割領域が取り除かれて露出する前記第１層の露出面に色付き溶液で色付けして第１色塗り層を形成すること、前記第１色塗り層の表面側に第２色塗り層を形成すること、前記第２色塗り層を研磨することとを含む絵画の製造方法が記載されている。
【先行技術文献】
【特許文献】
【０００３】
【特許文献１】特許第３３９０９４４号公報
【発明の概要】
【発明が解決しようとする課題】
【０００４】
特許文献１に記載の絵画は、色に深みがあって透明感があり、且つ、繊細であって鮮明である絵画を容易に作成できるものであるが、例えば、動物等を描いた場合に、迫力ある躍動感を表現することが困難であった。
そこで、本発明の解決しようとする課題は、例えば、動物等を描いた場合に、迫力ある躍動感の表現を可能にした絵画を提供することにある。
【課題を解決するための手段】
【０００５】
本発明の課題を解決するための手段は、下記のとおりである。
【０００６】
第１に、
第１工程（トレース工程）として、下絵を描いたベース紙に、０．０５６ミリメートルの厚さのトレーシングペーパを重ねて、下絵をトレーシングペーパにトレースした後で、
第２工程（マスキング工程）として、該ベース紙に、必要箇所のマスキングを行い、
第３工程（金属箔貼工程）として、前記ベース紙に、金属箔を、接着剤としての膠を用いて重ね貼りし、
第４工程（熱圧着工程）として、該重ね貼りした金属箔の上に、当て紙を載せ、当て紙の表面温度が４０〜６０℃、好ましくは４５〜５５℃、より好ましくは４８〜５２℃、更に好ましくは５０℃で熱圧着することで、ベース紙と金属箔とを一体化し、
第５工程（「彫り込み」工程）として、乾燥させた後で、熱圧着した金属箔の上に、下絵をトレースしたトレーシングペーパを配置した後に、該トレーシングペーパの上から、例えば剣先０．８〜２．０ミリメートルの磨きヘラで行う「彫り込み」により、下絵による微細な凹状部を、ベース紙と一体となった金属箔に形成し、
第６工程（鉛筆表現工程）として、該凹状部に基づいて、鉛筆によって対象物を表現することを特徴とする、金属箔を用いた絵画の製造方法。
第２に、
前記第６工程（鉛筆表現工程）における鉛筆による対象物の表現は、
下絵による微細な凹状部を形成した金属箔に、シーラーを塗布した後に、鉛筆で描くことで行うものであることを特徴とする、上記第１に記載の金属箔を用いた絵画の製造方法。
第３に、
前記第６工程（鉛筆表現工程）における鉛筆による対象物の表現は、
下絵による微細な凹状部を形成した金属箔に、シーラーを塗布した後に、鉛筆で描くことを、複数回繰り返すことを特徴とする、上記第１に記載の金属箔を用いた絵画の製造方法。
第４に、
前記第６工程（鉛筆表現工程）における鉛筆による対象物の表現は、
下絵による微細な凹状部を形成した金属箔に、シーラーを塗布した後に、鉛筆で下描きを行い、
該下描き後に、更にシーラーを塗布した後に、鉛筆で中描きを行い、
該中描き後に、更にシーラーを塗布した後に、鉛筆で上描きを行うことで行うことを特徴とする、上記第１に記載の金属箔を用いた絵画の製造方法。
第５に、
ベース紙に金属箔を、接着剤としての膠を用いて重ね貼りして一体化し、
該重ね貼りした金属箔に対して、例えば剣先０．８〜２．０ミリメートルの磨きヘラで「彫り込み」により形成されている微細な凹状部に基づいて、鉛筆によって対象物が表現されていることを特徴とする、金属箔を用いた絵画。
第６に、
前記鉛筆による対象物の表現は、下絵による微細な凹状部を形成した金属箔に、シーラーを塗布した後に、鉛筆で描くことを複数回繰り返したものであることを特徴とする、上記第５に記載の金属箔を用いた絵画。
第７に、
前記鉛筆による対象物の表現は、下絵による微細な凹状部を形成した金属箔に、シーラーを塗布した後に、鉛筆で下描きを行い、
該下描き後に、更にシーラーを塗布した後に、鉛筆で中描きを行い、
該中描き後に、更にシーラーを塗布した後に、鉛筆で上描きを行うものであることを特徴とする、上記第５に記載の金属箔を用いた絵画。
【０００７】
前記第５工程（「彫り込み」工程）におけるトレーシングペーパの上から行う、例えば剣先０．８〜２．０ミリメートルの磨きヘラを用いた「彫り込み」は、トレーシングペーパ自体を彫って破いたり、積層された金属箔自体を削るものではなく、ベース紙と一体化された金属箔に対して、トレッシングペーパの下絵に基づき、例えば磨きヘラの先端を微細線状に押し込むことによって、微細な凹状部を形成するものである。
【０００８】
「彫り込み」に使用する道具としては、例えば剣先０．８〜２．０ミリメートルに加工した超硬金属による磨きヘラを用いるのが望ましいが、鉄筆等を用いることもできる。
ここで、剣先が０．８ミリメートル未満だと、トレッシングペーパが破れるリスクが高くなり、２．０ミリメートルより大きいと、微細な表現が困難になる。
【０００９】
金属箔としては、厚さの異なる金箔、銀箔、プラチナ箔等を使用することができる。
トレッシングペーパの厚みが、０．０５６ミリメートルより大きい場合には、微細な凹状部をベース紙と一体化した金属箔に形成するのが困難となり、０．０５６ミリメートル未満の場合には、「彫り込み」工程において、トレッシングペーパが破れるリスクが高くなる。
【００１０】
ベース紙としては、３６０キログラムのケント紙を使用することが望ましい。
ケント紙を用いるのは、色鉛筆書きが鮮明となるためである。
また、３６０キログラムの特厚のケント紙を用いるのは、例えば剣先０．８〜２．０ミリメートルの磨きヘラによる彫り込み深さを、細かく調整することが可能となり、鉛筆による濃淡が鮮明となり、より深みのある表現が可能となるためである。
【発明の効果】
【００１１】
本発明によれば、以下の効果を奏することができる。
【００１２】
ベース紙に重ね貼りした金属箔が一体化し、対象物を「彫り込み」と鉛筆で表現することで、対象物の輪郭や表面の質感を立体的なものとして表現することができるので、例えば、哺乳動物等を描いた場合に、体表の毛の向きを表す毛流が極めて自然なものとなり、迫力ある躍動感を表現することができる。
【図面の簡単な説明】
【００１３】
【図１】本発明の一実施例の第１工程（トレース工程）を示す図である。
【図２】本発明の一実施例の第２工程（マスキング工程）を示す図である。
【図３】本発明の一実施例の第３工程（金属箔貼工程）を示す図である。
【図４】本発明の一実施例の第４工程（熱圧着工程）を示す図である。
【図５】本発明の一実施例の第５工程（「彫り込み」工程）を示す図である。
【図６】本発明の一実施例の第６工程（鉛筆表現工程）を示す図である。
【図７】本発明の一実施例の第７工程（錆止工程）を示す図である。
【図８】本発明の一実施例の第８工程（最終工程）を示す図である。
【発明を実施するための形態】
【００１４】
以下、本発明を実施するための形態を、図面を参照しつつ具体的に説明する。
ここで、添付図面において同一の部材には同一符号を付しており、また重複した説明は省略されている。
なお、ここでの説明は本発明が実施される一形態であることから、本発明は該当形態に限定されるものではない。
【実施例１】
【００１５】
［第１工程］（トレース工程）（図１参照）
鉛筆３で虎の下絵を描いたベース紙１の上に、０．０５６ミリメートルの厚さのトレーシングペーパ２を載せてて、その上から、０．８〜２．０ミリメートルの範囲の複数本の磨きヘラを用いて下絵をなぞることで、トレーシングペーパ２のベース紙１面側に下絵を転写するようにトレースする。
ここで、ベース紙としては、３６０キログラムの特厚のケント紙を用いる。
図１中、１０は虎の目、１１は虎の鼻を表し、この部分については、第８工程（最終工程）で、ベース紙１に、色鉛筆を用いて直接描くものとする。
【００１６】
［第２工程］（マスキング工程）（図２参照）
第１工程を終えたベース紙１に、金属箔の貼り付けを除外する部分として、目１０、鼻１１の部分について、マスキングを行う。
マスキング後、ドーサ液を刷毛４を用いて数回塗布し、３〜４時間乾燥させることで完了する。
【００１７】
［第３工程］（金属箔貼工程）（図３参照）
前記第２工程を終えたマスキング後のベース紙に、金属箔を、接着剤としての膠を用いて重ね貼りする。
具体的には、膠をベース紙全体に塗った後で、１枚目の金箔、銀箔を貼り、２〜３時間乾燥させる。
その上から、膠を塗り、２枚目の金箔、銀箔を貼り、２〜３時間乾燥させる。
更にその上から、膠を塗り、３枚目の金箔、銀箔を貼り、２〜３時間乾燥させる。
【００１８】
［第４工程］（熱圧着工程）（図４参照）
前記第３工程を終えた重ね貼りした金属箔の上に、当て紙を載せ、その上から１８０℃に設定したアイロン５を当てることで、紙の表面温度が５０℃となる条件で、熱圧着することで、ベース紙１と積層した金属箔を一体化する。
ここで、熱圧着により、膠等の影響により生じたベース紙１の曲がりが無くなるので、平面状のものとして一体化する。
なお、膠の融点６０℃〜７０℃だと接着力が落ちることが、試験により確認されている。
熱圧着後、１日以上乾燥させる。
【００１９】
［第５工程］（「彫り込み」工程）（図５参照）
前記第４工程を終えた金属箔と一体化したベース紙の上に、下絵をトレースしたトレーシングペーパを、下絵側を金属箔側に対向させて配置する。
その後、該トレーシングペーパの上から、超硬金属で、剣先０．８〜２．０ミリメートルの範囲の複数本の磨きヘラ６を適宜用いて被毛の「彫り込み」を行うことで（左上図参照）、下絵による微細な凹状部により表現される被毛を、ベース紙と一体となった金属箔に形成する（右下図参照）。
【００２０】
［第６工程］（鉛筆表現工程）（図６参照）
前記第５工程を終えた、被毛が微細な凹状部で表現されたベース紙と一体となった金属箔に、シーラー７としてアメリカーナシーラー（商品名）を第１層として塗布することで（左上図参照）、つや出しを行った後に、鉛筆３で薄く下描きを行う（右上図参照）。
次に、アメリカーナシーラー（商品名）を第２層として塗布することでつや消しを行った後に、鉛筆で中描きを行う（左下図参照）。
最後、アメリカーナシーラー（商品名）を第３層として塗布することでつや出しを行った後に、鉛筆で上描きを行う（右下図参照）。
前述の複数回のシーラーの塗布及び鉛筆書きによる重層処理を、微細な凹状部に施すことにより、虎の被毛が立体的に躍動感をもって表現されることになる。
【００２１】
［第７工程］（錆止工程）（図７参照）
前記第６工程を終えたものに、ミスターカラー薄め液（商品名）にて、鉛筆成分を溶かす。
その後、筆塗りで仕上げた後に、錆止め剤を塗布する。
【００２２】
［第８工程］（最終工程）（図８参照）
前記第７工程を終えたものに、目１０、鼻１１の部分（左上図参照）を、色鉛筆を用いて描き、グラフィックスを塗布して調整する。
その後、サインを入れ、その上にグラフィックスを塗布しすることで、金属箔による絵画が完成する（右下図参照）。
【符号の説明】
【００２３】
１  ベース紙
２  トレッシングペーパ
３  鉛筆
４  刷毛
５  アイロン
６  磨きヘラ
７  シーラー
８  錆止剤
１０  目
１１  鼻
【要約】
【課題】動物等を描いた場合に迫力ある躍動感を表現することができる手段を提供する。
【解決手段】  下絵を描いたベース紙に、トレーシングペーパを重ねて、下絵をトレーシングペーパにトレースした後で、前記ベース紙に、金属箔を重ね貼りし、該重ね貼りした金属箔の上に、当て紙を載せ、熱圧着することで、ベース紙と金属箔とを一体化し、熱圧着した金属箔の上に、下絵をトレースしたトレーシングペーパを配置した後に、該トレーシングペーパの上から、「彫り込み」により、下絵による微細な凹状部を、ベース紙と一体となった金属箔に形成し、該凹状部に基づいて、鉛筆３によって対象物を表現する
【選択図】図６【図１】
0006976542.tif 000002
【図２】
0006976542.tif 000003
【図３】
0006976542.tif 000004
【図４】
0006976542.tif 000005
【図５】
0006976542.tif 000006
【図６】
0006976542.tif 000007
【図７】
0006976542.tif 000008
【図８】
0006976542.tif 000009